(57)【要約】      （修正有）【課題】  取出し口の開閉をワンタッチで達成できるだけでなく、適量を清潔に取出すことができるようにする。【解決手段】  上ケース２と下ケース３とから構成される粒体Ａを収納する中空容箱にあって、一部を略Ｕ字形状または略コ字形状に削切して切欠部２２を形成し、この切欠部２２の削切端面に粒体取り出し開口部２５を設け、更に切欠部２２の削切端面下端に沿って、ヒンジ３５を介してドーム殻形状の操作片３４を反転変形自在に一体設し、この操作片３４を、上方に膨出した姿勢で開口部２５を塞ぐと共に、反転凹み姿勢で開口部２５を開き且つ粒体Ａの受皿として形成することを特徴とする構成である。【選択図】  図１
2005075393.tif 000002
【特許請求の範囲】
【請求項１】
粒体（Ａ）を収納する中空容箱にあって、一部を略Ｕ字形状または略コ字形状に削切して切欠部（２２）を形成し、該切欠部（２２）の削切端面に粒体取り出し開口部（２５）を設け、更に前記切欠部（２２）の削切端面下端に沿って、ヒンジ（３５）を介してドーム殻形状の操作片（３４）を反転変形自在に一体設し、該操作片（３４）を、上方に膨出した姿勢で前記開口部（２５）を塞ぐと共に、反転凹み姿勢で前記開口部（２５）を開き且つ粒体（Ａ）の受皿として形成することを特徴とする粒体収納容器。
【発明の詳細な説明】
【技術分野】
【０００１】
本発明は、収納される粒体を所望適量だけ衛生的に取り出すことのできる容器に関するものである。
【背景技術】
【０００２】
或る種の錠剤、菓子等の粒状体を収納する容器にあっては、所望適量を簡単且つ確実に取り出せるようにすることが要求される。粒状体自体は、小さくしかも殆どが球形状であるので転がり易く、摘まみにくいからである。
【０００３】
このような要請に鑑みて、従来より例えば下記文献にかかる発明が提案されてきている。
【特許文献１】特開２００２−３６２６５３号公報
【特許文献２】特開平１１−２７８４９３号公報
【発明の開示】
【発明が解決しようとする課題】
【０００４】
上記文献特開２００２−３６２６５３号公報で開示された発明「粒状物ケース」は、薄箱容器の周面の一部に取出し口を開設し、この取出し口を塞ぐ形態で容器の周面にリングを嵌め込み、リングの一部を上下に回動させることにより取出し口の開閉を図るものである。ここでは、取出し口を開けた姿勢でリングを離せば、弾性復帰力により取出し口を閉じることができる。
【０００５】
また、上記文献特開平１１−２７８４９３号公報で開示された発明「携帯用容器」は、薄箱容器の周縁の一縁に設けられた一対の唇片によって取出口を形成した構成で、容器を取出口の幅方向内向きに外力を加えることで、通常時に閉じられているこの取出し口を開き、離せば弾性復帰力により取出し口が閉じる。
【０００６】
しかしながら特に文献特開２００２−３６２６５３号公報の発明は、別部材としてリングを必要とすること、リングを容器に組付けるのに手間がかかるといった欠点があり、また、両発明とも、収納物を取出し過ぎた場合、取出口から内部に戻しにくく、また、収納物を直接手のひら等に取出すことになるので、戻す場合或いは他人に提供する場合等に不潔感が残るといった不都合が存した。
【０００７】
よって本発明は、上述した従来技術の欠点、不都合、不満を解消するべく開発された粒体収納容器で、取出し口の開閉をワンタッチで達成できるだけでなく、適量を清潔に取出すことができるようにすることを目的とする。
【課題を解決するための手段】
【０００８】
上記課題を解決するため、本発明の粒体収納容器は、粒体を収納する中空容箱にあって、一部を略Ｕ字形状または略コ字形状に削切して切欠部を形成し、この切欠部の削切端面に粒体取り出し開口部を設け、更に前記した切欠部の削切端面下端に沿って、ヒンジを介してドーム殻形状の操作片を反転変形自在に一体設し、この操作片を、上方に膨出した姿勢で開口部を塞ぐと共に、反転させた陥没凹み姿勢で開口部を開き且つ粒体の受皿として形成することを特徴とする構成である。
【発明の効果】
【０００９】
よって本発明の粒体収納容器によれば、ドーム殻形状の操作片を上方から押して反転変形させれば、簡単に開口部を開くことができ、しかもこの操作片を粒体の受皿として形成しているので、取出し開口部の開閉をワンタッチで達成できるだけでなく、直接手のひら等に取出さないので清潔であり、取出し過ぎた場合に受皿としての操作片から開口部を介して容器内に戻すことができるので常に容易に適量を取出すことができる等、多くの優れた作用効果を奏する。
【発明を実施するための最良の形態】
【００１０】
以下、本発明の粒体収納容器を実現するための最良の形態を図面に従って説明するならば、本発明の粒体収納容器１は、上ケース２と下ケース３とを一体組付けした中空容箱であって、或る種の錠剤、菓子等の粒体Ａを収納するものであり、例えばシリコンゴムで成形されるが、上ケース２をアクリル等のプラスチック、下ケース３をウレタンゴム等のエラストマー樹脂で成形する等としても良い。
【００１１】
上ケース２は、平面視で略楕円形状のドーム形状となった天板２１で構成され、長軸に沿った一方端部は大きく馬蹄形またはＵ字形状に切り欠かれて切欠部２２を形成すると共に両側に翼板２３を残存形成し、この切欠部２２の削切端面に切欠壁２４が翼板２３の内側に沿う形態で垂下設され、更にこの切欠壁２４の中央に粒体取り出し開口部２５が開設されている。
【００１２】
一方、下ケース３は、同じく平面視で略楕円形状の薄皿形状となった底板３１で構成され、長軸に沿った一方端部は大きく馬蹄形またはＵ字状形に切り欠かれて切欠部３２を形成すると共に両側に翼板３３を残存形成し、この切欠部３２の削切端面に、翼板３３の内側に沿って平面視で略楕円形状のドーム殻形状の操作片３４がヒンジ３５を介して反転変形自在に一体設されている。
【００１３】
上述した構成の上ケース２と下ケース３にあって、相互の周縁同士、及び上ケース２の切欠壁２４を下ケース３の切欠部３２内縁に夫々当接させて一体接合し、中空容箱として構成するのである。この一体化した構成では、上ケース２の切欠部２２の削切端面下端に沿って操作片３４が位置することになる。
【００１４】
そしてこの操作片３４は、上方に膨出した姿勢で上ケース２の切欠部２２内に侵入位置して開口部２５を塞ぎ（図１（ａ）、図３（ａ）参照）、反転させた陥没凹み姿勢では下方に膨出して開口部２５を開き且つ粒体Ａの受皿として形成する（図１（ｂ）、図３（ｂ）参照）ことになる。この反転変形が円滑に行えるように、操作片３４は下ケース３の他の部分よりも肉薄に成形する。
【実施例１】
【００１５】
操作片３４は前述したように平面視で略楕円形状であるが、円形形状であっても良く、更には上記した反転変形が容易に達成される限り角形状であっても良い。この形状は上下ケース２、３の形状とも関連しており、図示実施例ではその楕円形状に対応させたものであり、従って開口部２５を塞ぐ操作片３４の上方への膨出形態では、その上面が天板２１の曲面にできるだけ連続させ、外観体裁の統一性を図るのが望ましい。
【００１６】
図１（ｂ）、図３（ｂ）では開口部２５が開き、受皿状となった操作片３４内に粒体Ａが取り出された状態を示しているが、ここで粒体Ａを出し過ぎた場合は、そのまま容器１を傾け開口部２５に転がすようにして内部に戻すことができるので、極めて衛生的である。
【図面の簡単な説明】
【００１７】
【図１】本発明にかかる容器の、（ａ）は開口部を閉じた状態の、（ｂ）は開口部を開いた状態の斜視図である。
【図２】本発明にかかる容器の操作片が反転した陥没凹み姿勢状態の分解斜視図である。
【図３】本発明にかかる容器の、（ａ）は開口部を閉じた状態の、（ｂ）は開口部を開いた状態の断面図である。
【符号の説明】
【００１８】
１    粒体収納容器
２    上ケース
２１  天板
２２  切欠部
２３  翼板
２４  切欠壁
２５  開口部
３    下ケース
３１  底板
３２  切欠部
３３  翼板
３４  操作片
３５  ヒンジ
Ａ    粒体
【図１】
2005075393.tif 000003
【図２】
2005075393.tif 000004
【図３】
2005075393.tif 000005